(57)【要約】      （修正有）【課題】電動鋸を縦定規に強く押し付け乍板材を切断しても、定規は片手で押える必要もなく板材に固定されており、作業性が良く、板材をその一辺に対して正確な角度の方向に波打ちすることなく切断できる定規を提供する。【解決手段】板材２の一辺２ａの縁を横定規４と横定規下方の下面板で挟み込み、下面板に固定した締結棒にめねじ部材１５をねじ込み固定する。定規本体３の側面３ａを電動鋸１１の案内として板材を切断する。４ａ，４ａはのぞき穴であって、一辺２ａの端面と上面板４Ａの下面に設けた板当ガイドとの間に隙間がないかどうかを知ることができる。定規１が板材２に強固に固定され、電動鋸を縦定規に押し付け乍作業するときに、手で押えることなく板材に対して定規は不動である。【選択図】図７
0003151510.tif 000002
【実用新案登録請求の範囲】
【請求項１】
板材をその一辺に対してその一辺から交叉する方向に手持ちの電動鋸で切断する際に、該電動鋸を案内する定規において、
電動鋸のベース板を接して電動鋸を案内する帯板状の縦定規と、
縦定規と横定規間の角度を調節可能に固定する結合部と、
板材の一辺に沿って長く、その一辺の縁の上面に接する接触面と該縁の端面に接する接触面を備えた上板当ガイドとを有する上面板と、上面板に平行で板材の前記一辺に沿って長く、その一辺の縁の下面に接する下面板と、上面板と下面板を板材の板面に直角方向に互に引寄せる締結部材とを有する横定規と、
を有することを特徴とする定規。
【請求項２】
上面板には板材の端面に接する上板当ガイドの接触面を目視可能なのぞき穴を有することを特徴とする請求項１に記載の定規。
【請求項３】
締結部材は下面板に固定され下面板に立設したねじ部材であって上面板の上板当ガイドの外側に設けた穴を貫通するねじ部材と、ねじ部材にねじ込まれためねじ部材とからなり、横定規の長手方向に間隔を置いて複数設けられていることを特徴とする請求項１又は２に記載の定規。
【請求項４】
結合部は縦定規と横定規の上面板の夫々根本を重ねて、該根本において板面に直角方向に縦定規に植設され上面板に回転可能に密に嵌合し先端におねじを有する枢軸と、枢軸にねじ込まれて上面板と縦定規を加圧する角度固定用おねじ部材と、枢軸を中心にした円上に配設された縦定規の角度割出し穴と、上面板に設けられ割出し穴に選択的に嵌入する割出しピンと、を有することを特徴とする請求項１から３の何れか１つに記載の定規。
【考案の詳細な説明】
【技術分野】
【０００１】
この考案は主として合板類のような板材を電動鋸で切断する際の電動鋸を案内する定規に関する。
【０００２】
ここで、電動鋸とは丸鋸又はジグソーのように直線刃の鋸を有する手持ちの電動工具のことをいう。
【背景技術】
【０００３】
従来、例えば合板のような板材を切断する場合に定規が用いられている。大きな板材を切断する場合は板材の平行両対辺に直交又は斜交してわたし夫々定規の両端部を板材の両対辺の端面を加圧して固定する定規が提案されている。
【０００４】
一方、比較して切断幅が大きくない中小の板材では直角又は直角以外の角度を選択可能な角度定規が用いられている。特許文献１に記載の定規は角度定規の一種である。
【０００５】
特許文献１に記載の丸鋸切断用定規の発明は、合板の縁の端面に当てると共に縁の上面を手で押圧して不動とする。該縁に沿って長い横定規である広範囲ベース板の一端の支軸を中心にして直線状の縦定規である切断案内板を回動位置を調節可能とし、切断案内板に支軸を中心とする角度目盛を設け、この角度目盛を広範囲案内ベース板の指針と合せることにより、切断案内板と広範囲案内ベース板間の角度を決めている。
【先行技術文献】
【特許文献】
【０００６】
特許文献１    特開２００７−１９０７１１号公報
【非特許文献】
【０００７】
なし
【考案の概要】
【考案が解決しようとする課題】
【０００８】
特許文献１のものは広範囲案内ベース板は合板の縁に対して手で押えて定規を合板に対して不動としている。電動鋸で合板を切断する際に単に電動鋸を直線状に押して送っても蛇行傾向にある。このため、定規を用いた切断の際は電動鋸のベースを定規本体（特許文献１の切断案内板）に接触を保って電動鋸を送る。このとき、電動鋸を蛇行させないために、定規本体に電動鋸のベースを強く押し付け乍電動鋸を手で送ることになる。このため、広範囲案内ベース板はたえず強く押えていなければならない。そして、定規本体の先端部において電動鋸を定規本体に押し付けると定規本体の根本を中心にして定規全体が回動力を受けて定規本体が回動し、広範囲案内ベース板は合板の端面から離れてしまうことになる。一般に角度定規では特許文献１に記載のような作用がある。
【０００９】
この考案は板材の一辺に当接する横定規と電動鋸を案内する縦定規との間の角度を調節して固定可能に結合した定規において、横定規を板材に対して不動とすることにより、縦定規が強固に板材に対する位置決めできる定規を提供することを目的とする。
【課題を解決するための手段】
【００１０】
本出願に係る第1の考案は、板材をその一辺に対してその一辺から交叉する方向に手持ちの電動鋸で切断する際に、該電動鋸を案内する定規において、
電動鋸のベース板を接して電動鋸を案内する帯板状の縦定規と、
縦定規と横定規間の角度を調節可能に固定する結合部と、
板材の一辺に沿って長く、その一辺の縁の上面に接する接触面と該縁の端面に接する接触面を備えた上板当ガイドとを有する上面板と、上面板に平行で板材の前記一辺に沿って長く、その一辺の縁の下面に接する下面板と、上面板と下面板を板材の板面に直角方向に互に引寄せる締結部材とを有する横定規と、
を有することを特徴とする定規である。
【００１１】
本出願に係る第２の考案は、上面板には板材の端面に接する上板当ガイドの接触面を目視可能なのぞき穴を有することを特徴とする第１の考案に記載の定規である。
【００１２】
本出願に係る第３の考案は、締結部材は下面板に固定され下面板に立設したねじ部材であって上面板の上板当ガイドの外側に設けた穴を貫通するねじ部材と、ねじ部材にねじ込まれためねじ部材とからなり、横定規の長手方向に間隔を置いて複数設けられていることを特徴とする第１又は第２の考案に記載の定規である。
【００１３】
本出願に係る第４の考案は、結合部は縦定規と横定規の上面板の夫々根本を重ねて、該根本において板面に直角方向に縦定規に植設され上面板に回転可能に密に嵌合し先端におねじを有する枢軸と、枢軸にねじ込まれて上面板と縦定規を加圧する角度固定用おねじ部材と、枢軸を中心にした円上に配設された縦定規の角度割出し穴と、上面板に設けられ割出し穴に選択的に嵌入する割出しピンと、を有することを特徴とする第１から第３の考案の何れか１つに記載の定規である。
【考案の効果】
【００１４】
請求項１に係る考案によれば切断しようとする板材の端面に横定規の上板当ガイドが接した上、上面板と下面板を板材の板面方向に互いに引寄せる締結部材を有するので、板材に定規が強固に固定された状態で、板材の前記端面に対して正確な角度で縦定規の位置と横定規の角度が設定される。電動鋸を縦定規に強く押し付け乍板材を切断しても、定規は片手で押える必要もなく板材に固定されており、作業性が良く、板材をその一辺に対して正確な角度の方向に波打ちすることなく切断できる。定規の板材への取付は、横定規を板材の一辺に平行な状態にして板材の一辺の端面に向かって上面板を板材の上側に下面板を板材の下側にして押込み、締結部材で締結するだけなので操作性が良い。
【００１５】
角度定規に比較して切断すべき長さを大きくとれ、より大きな板材の切断ができる。
【００１６】
請求項２に係る考案によれば、横定規の上板当ガイドが板材の端面と隙間なく接しているかどうかを目視できる。従って、上面板の上板当ガイドが板材の一辺の端面に接しない場合があることについての横定規の設定に対する不安が生じない。
【００１７】
請求項３に係る考案によれば定規の板材への締結とその解除が容易である。
【００１８】
請求項４に係る考案によれば、板材の一辺に対して複数の交叉方向に正確に縦定規を割出せる。そして、縦定規を電動鋸で強く押えても、横定規と縦定規間の角度が変ってしまうおそれがない。
【図面の簡単な説明】
【００１９】
【図１】実施例の全体を示す概略平面図である。
【図２】図１の正面図である。
【図３】図１の側面図である。
【図４】下面板の斜視図である。
【図５】図１のＡ−Ａ断面図である。
【図６】割出しピン部を示す縦断面図である。
【図７】板材と定規の関係を示す平面図である。
【図８】定規本体の組物を示す平面図である。
【実施例】
【００２０】
以下、この考案の実施例を図面に従って説明する。
【００２１】
実施例は板材（通常合板）の縁に対して複数の角度の内の１つの角度を選択的に例えば直角方向に板材を切断する際の案内となる定規である。
〔概略〕
図７はこの考案の定規１全体を示す平面図である。板材２は例えば直角四辺形の合板である。板材２上に定規１を置く。その前又は後に後述するように横定規４と縦定規（以下、定規本体という）３の長手方向は一定角度となるようにする。このとき横定規４を板材２の一辺２ａの縁の端面に押し当て、のぞき窓４ａ，４ａから後述の板当ガイドと前記端面との間に隙間がないことを目視で確認する。次にめねじ部材１５を締め込み板材２に横定規４を固定する。
【００２２】
〔定規本体〕
図１は定規の平面図、図２は定規の正面図、図３は定規の側面図である。
【００２３】
定規本体３は板材２の対辺間距離（通常は板材２を２分割するので切断長さとなる）よりも長い。定規本体３は電動鋸１１の案内となる長手方向の側面３ａを有する。側面３ａは定規本体３の下面３ｂ、上面３ｃに対して直角である。定規本体３の長手方向に対して直角な断面は幅に比して厚さの薄い四辺形である。即ち、根本部だけが薄い定規本体３は帯板状である。
【００２４】
定規本体３の根本は横定規４の一端に横定規４の長手方向との間の角度を選択して固定するように結合されている。定規本体３の根本は上面３ｃから段部３ｄ，３ｅ，３ｆで下って上面３ｃと下面３ｂの上下方向の中間が上面である結合板部３ｇとなっている。段部３ｄ，３ｅ，３ｆの高さは横定規４の定規本体３との結合板部４ｂの厚さと等しくなっている。上記において段部３ｄと３ｆは夫々横定規４に対して定規本体３が４５度、１３５度傾いたときに横定規４の根本側において側面４ｃ，４ｄに当接する。円弧形の段部３ｅには横定規４の根本の円板部４ｋが嵌まり込む円弧形となっている。即ち、段部３ｅと円板部４ｋの外周間は隙間が少ない。
【００２５】
定規本体３はアルミニウム製である。
〔横定規〕
横定規４は上面板４Ａ、下面板１４、締結棒１３、めねじ部材１５で主として出来ている。上面板４Ａ、下面板１４はアルミニウム製、締結棒１３、めねじ部材１５はステンレス製鋼製である。
【００２６】
横定規４の上面板４Ａの上面４ｅは一様な平面である。この平面は定規本体３の上面３ｃと同一平面上にある。横定規４の上面板４Ａの根本の結合板部４ｂは根本外の定規部４ｆよりも薄くなっている。段部４ｇ，４ｈは定規部４ｆと結合板部４ｂ間の境となる段部であり、定規本体３の回動を許す範囲を定める。本例では定規本体３は横定規４に対して直角方向の位置から、両側へ４５度傾けられるようになっている。
【００２７】
横定規４には板材２の一辺２ａの端面に接する板当ガイドが設けてある。板当ガイドは上板当ガイド４ｉと後述する下板当ガイドがある。上板当ガイド４ｉは横定規４の上面板４Ａの下面に設けてある。上板当ガイド４ｉは横定規４の上面板４Ａの長手方向に沿って段部４ｇから端面４ｊ近くまで直線状に設けてある。
【００２８】
上面板４Ａの定規部４ｆを貫通してのぞき窓４ａが設けてある。のぞき窓４ａは、上板当ガイド４ｉと板材の一辺２ａの端面との接触状態を見るように設けるものである。本例では定規部４ｆの直上から直下を見て上板当ガイド４ｉの板材の一辺２ａの端面との接触面４ｉ１と一致する位置にのぞき窓４ａの直線状の一辺４ａ１がある。のぞき窓４ａは一辺４ａ１を除いて円弧状である。接触面４ｉ１と一辺４ａ１が横定規４の上から見て一致していると接触面４ｉ１を見違えることもなく見易い。しかし、のぞき窓４ａは接触面４ｉ１が見えればよいので、一辺４ａ１の位置がこれに限られる訳ではない。
【００２９】
横定規４の上面板４Ａにはゲンノー打処４ｒが設けてある。ゲンノー打処４ｒは上面板４Ａの側面４ｄよりも突出している。ゲンノー打処４ｒはゲンノーで打って、上板当ガイド４ｉを、板材の一辺２ａの端面に密接させるためのものである。横定規４をアルミニウム製とするとゲンノー打処４ｒは傷み易いので例えばステンレス鋼板を貼り付けておいてもよい。
【００３０】
〔縦定規と横定規の結合部〕
縦定規と横定規間の角度を調節可能に固定する結合部について説明する。
【００３１】
この考案の実施例が求めようとしているのは板材の一辺２ａの端面に対する電動鋸１１の案内となる定規本体３の案内面である側面３ａとの角度である。
【００３２】
結合部５は図１、図２に示すように結合板部３ｇと４ｂが重ねられている。結合板部３ｇと４ｂを合せた厚さは結合板部３ｇを除いた縦定規３の部分である定規部３ｈ厚さ、結合板部４ｂを除いた上面板４Ａの部分の定規部４ｆ厚さと等しい。定規本体の定規部３ｈと上面板４Ａの定規部４ｆの厚さは等しいので、定規本体３と横定規４の上面板４Ａの上面と下面は夫々同一平面上にある。結合板部３ｇと４ｂの接触面はナーリングのような多数の小凹凸を設け、滑り止めとしてある（図示されない）。
【００３３】
段部３ｅ、円板部４ｋの円弧の中心において、枢軸６が結合板部３ｇに植設されている。枢軸６は円筒部６ａが結合板部４ｂの穴４ｂ１に丁度嵌合している。従って、枢軸６を中心にして定規本体３と横定規４の上面板４Ａは回動して両者間の角度が変化する。平面で見て、上板当ガイド４ｉの板材２の一辺２ａの端面と接触する接触面４ｉ１をとおる直線の延長線は枢軸６の中心付近をとおっている。枢軸６は横定規の上面４ｅから上方へ突出した部分はおねじが設けられている。このおねじに角度部めねじ部材７がねじ込まれている。角度部めねじ部材７と横定規４の上面板４Ａの上面４ｅとの間には割出固定用めねじ部材７と夫々が同径の円板形で中心穴を有する滑動材８、押板９、座板１０がこの順に重ねられ枢軸６に隙間をおいて嵌合している。
【００３４】
滑動材８は合成樹脂のうち摩擦係数の小さい例えばポリ４フッ化エチレンＰＴＦＥであって、割出固定用めねじ部材７に接着又は溶着されている。押え板９は鉄製例えばステンレス鋼製である。座板１０は薄いゴムで作られている。座板１０はアルミ製の横定規４の上面板４Ａの上面４ｅに傷がつかず且つ角度部めねじ部材４の加圧力が座板１０を介することによって均一に横定規４を加圧するようになっている。
【００３５】
枢軸６を中心にして定規本体３の根本の結合板部３ｇには割出し穴３−ｉ（ｉ：１…１０）が設けてある。この割出し穴３−ｉの夫々の対応する位置において結合板部４ｂにおける円板部４ｋの上面には角度目盛４ｍ（ｍ：１…１０）が設けてある。
【００３６】
横定規４の上面板４Ａの上板当ガイド４ｉと定規本体３の側面３ａとが直角の位置において、定規本体３上には角度目盛４ｍ（ｍ＝１）と一致する位置に基準目盛３−１−０を設ける。及び、角度目盛４ｍ（ｍ＝２）と一致する位置に基準目盛３−２−０を設ける。割出し穴３−１から３−１０は後述の割出し部材が嵌入した時に横定規４の上面板４Ａの上板当ガイド４ｉに対する定規本体３の側面３ａとの間に張る角度が所望の角度、例えば、９０度、４５度、３３．２５度、２２．５度、１１．２５度の角度となるように選ばれる。
【００３７】
図６は割出し部材１２を示す。結合板部４ｂには板面に直角にめねじ４ｎが設けてある。割出し部材１２は割出し穴３−ｉ（ｉ：１…１０）の何れか１つに嵌入する嵌合部１２ａ、嵌合部１２ａに続いてめねじ４ｎにねじ込まれるおねじ１２ｂ、おねじ１２ｂよりも大径の頭部１２ｃ、頭部１２ｃ上に枢着１２ｄされたつまみ１２ｅをこの順に有する。つまみ１２ｅは板状で頭部１２ｃ上面に重なる位置と、頭部１２ｃ上面に対して直立する位置をとるようになっている。
【００３８】
めねじ４ｎは上板当ガイド４ｉと定規本体の側面３ａが直角のときに割出し穴３−１，３−２と一致する位置に夫々設けてある。割出し部材１２の頭部１２ｃと結合板部４ｂ間においておねじ１２ｂにばね座金１８が装入されている。ばね座金１８はおねじ１２ｂのめねじ４ｎに対する弛み止めである。ばね座金１８により電動鋸１１から板材２を介して伝わる振動によるおねじ１２ｂの弛みを防止している。
【００３９】
〔締結部材〕
横定規４の上面板４Ａの下面には、摩擦係数の大きなシート材、例えばゴム板のすべり止め１６が貼り付けてある。このすべり止め１６は上面板４Ａの板材２の上面に接する部分に貼り付けてある。即ち、上板当ガイド４ｉと側面４ｃ間の範囲で横定規４の上面板４Ａの下面にすべり止め１６は配設されている。
【００４０】
横定規４の上面板４Ａを貫通する穴４ｑを挿通する締結棒１３は下端が下面板１４に固定されている。締結棒１３は複数（本例では２本）設けられ、可及的に離れて設ける。締結棒１３は外周におねじを有する。締結棒１３には滑動材８、押板９、座板１０（図面には符号記載を省略、割出固定用めねじ部材７の下、図２参照）
を介して締結用めねじ部材１５がねじ込まれている。
【００４１】
図２から図４に示すように、下面板１４の両端部には板材２の一辺２ａの端面に当接する下板当ガイド１４ａが設けてある。下板当ガイド１４ａの板材２の一辺２ａの端面に当接する面１４ａ１は上板当ガイド４ｉの板材２の一辺２ａの端面に当接する接触面４ｉ１と同一垂直面上にある。締結棒１３は図３に示すように接触面４ｉ１に近い位置に設ける。下面板１４は板材２の一辺の下面に対向する板部１４ｂを有する。板部１４ｂにはすべり止め１７が貼り付けてある。すべり止め１７は例えばゴム板である。
【００４２】
〔定規本体の組物〕
板材の切断する長さは、板材の幅方向に板材を２分割するとするならば、板材の幅によって変る。定規本体の長さを長くすれば、板材の幅の大小にかかわらず一つの定規本体により板材を切断することも可能である。しかし、幅の小さい板材を幅方向に切断すると切断長さは小さい。そうすると、板材の幅に対して定規本体が長いと取扱いが不便である。そして作業性が悪くなる。特に、切断する板材の枚数が多いと不便である。
【００４３】
図８は定規本体３の組物を示す。図８において３Ａから３Ｅは定規本体を示し、夫々長さ（ミリメートル）は３Ａは１４００、３Ｂは１１００、３Ｃは８００、３Ｄは６５０，３Ｅは５００である。定規本体３Ａ〜３Ｅの長さ以外の形状、寸法は既述と同様である。
【００４４】
図７に示す板材２は長さ１８２０ミリメートル、幅９１０ミリメートルである。この板材２を幅方向に切断するには定規本体３の側面３ａは９１０ミリメートル+αが必要である。本例ではα＝１９０ミリメートルとした。長さαは定規本体３の先端が板材２の向側の一辺をわずかに越えると共に、電動鋸１１の鋸刃が板材２の手前側の一辺２ａにかからない位置において、電動鋸１１のベース１１ａの定規本体３の側面３ａとの接触長がベース１１ａの前後方向の長さの半分以上あることが望ましいから設けるものである。
【００４５】
本例では板材２を一辺２ａに直角に切断する際は、定規本体３Ｂを用いると、定規本体３は板材２を横切って板材２の対向２辺を夫々越える。定規本体３Ｂで一辺２ａに対して例えば一辺２ａに対して４５度の斜め切りをしようとすると、図７中の下側に２点鎖線で示すように定規本体３Ｂは板材２を切り離すまで電動鋸１１を案内できない。定規本体３Ａを用いると、図７中の上側に２点鎖線で示すように定規本体３Ａは板材２の対向二辺にわたった夫々該二辺からはみ出ているので電動鋸１１は板材２が切り離されるまで案内される。
【００４６】
定規本体３Ａ〜３Ｅの横定規４への着脱は、割出し固定用めねじ部材７をねじ戻して枢軸６からぬく。そのまま、横定規４を枢軸６から抜くと、割出し部材１２は横定規４と共に割出し穴３−ｉから抜ける。定規本体３Ａ〜３Ｅを取り換え、横定規４の穴４ｂ１を枢軸６に嵌入する。このとき、横定規４に取り付けられたままの割出し部材１２を割出し穴３−ｉに挿入して横定規４を定規本体３に向って押し切ると結合板部３ｇ，４ｂが接する。ここで、外した割出し固定用めねじ部材７を枢軸６にねじ込む。
【００４７】
このように、、定規本体と横定規の脱着は、ねじ部材を枢軸に対してねじ戻す、ねじ込むだけで終るので定規本体の交換は簡単である。
【００４８】
〔作用〕
定規本体３の側面３ａと横定規４の上面板４Ａの接触面４ｉ１間の角度が定規本体３と横定規４間の角度である。定規本体３と横定規４間の角度の設定は、定規１を板材２に当てないでも、板材２に当てた状態でも行うことができる。定規本体３と横定規４間の角度設定を変更するには次のとおりに行う。
【００４９】
割出し固定用めねじ部材７を弛める。その前後に割出し部材１２をめねじ４ｎからねじ戻して、割出し穴３−ｉから嵌合部１２ａが抜けた状態では、おねじ１２ｂの長さが、嵌合部１２ａよりも長いので、割出し部材１２は横定規の上面板４Ａの結合板部４ｂに保持されたままである。ここで、枢軸６に対して横定規４を回転することにより、定規本体３と横定規４間に張る角は変化する。割出し部材１２が所望の割出し角度にほぼ達したことは基準目盛３−１−０，３−２−０と角度目盛４ｍ（ｍ：１…１０）の何れかと一致したことで判明する。ここで、割出し部材１２をねじ込むと、截円錐形の嵌合部１２ａは割出し穴３−ｉ（ｉ：１…１０）に突入する。その際に、基準目盛３−１−０，３−２−０と角度目盛４ｍ（ｍ：１…１０）の何れかの一致で割出されていた定規本体３と横定規４間に張る角はより所望角度に近くなる。ここで、割出し用固定めねじ７を締め込む。
【００５０】
板材２の上面に定規本体３と横定規４のすべり止めゴム１６の側を置く。そして、横定規４を板材２の一辺２ａに向けて押し、上板当ガイド４ｉの接触面４ｉ１を板材２の一辺２ａの端面に押し当てる。そして、のぞき窓４ａ，４ａから、接触面４ｉ１と板材２の一辺２ａの端面が隙間なく接しているかどうかを確認する。のぞき窓４ａ，４ａは離れているので接触面４ｉ１が板材２の一辺２ａの端面に一様に接しているかどうかが容易に判る。これによって、のぞき窓のない横定規とすると、ただ上板当ガイドを板材の端面に押し当てする手の感覚だけで板材の一辺と横定規の平行をみることになる。そうすると、横定規の上板当ガイドと板材の端面間に異物が介在して上板当ガイドと板材の端面間に傾よった隙間が生じたとしても、横定規は板材に押し付けられた正常な状態と同様の感触を得る。
【００５１】
上板当ガイド４ｉを板材２の一辺２ａの端面に押し当てた状態では、横定規４はすべり止め１６が板材２の上面に接し、定規本体３が板材２の一辺２ａに交叉する方向に載置されている。ここで、締結用めねじ部材１５をねじ込むと、締結棒１３、下面板１４は上昇し、下面板１４の上面に貼ってあるすべり止め１７が板材２の下面に接する。締結棒１３が横定規４を挿通する、横定規４に設ける穴はボルト穴であり、締結棒１３はこのボルト穴に遊嵌している。従って、下面板１４は横定規４に対して前後左右方向へ限定的に変位できる。ここで、下板当ガイド１４ａを板材２の一辺２ａの端面に向って押すと下板当ガイド１４ａの面１４ａ１は板材２の一辺２ａの端面に当接する。ここで、締結用めねじ部材１５を締め込むと、上面板４Ａと下面板１４に板材２の上下面を加圧し定規１は板材２に固定され、定規本体３は板材２の一辺２ａに対して設定した角度で板材２の上面に接して不動となる。
【００５２】
定規本体３の板材２の一辺２ａに対する設定角度を変更する場合は、横定規４の板材２への固定を解除することなく行える。
【００５３】
既にのべたように定規本体３と横定規４の上面板４Ａのすべり止め１６を除く下面は同一平面上にある。横定規４の下面にはすべり止め１６が貼り付けてある。上面板４Ａと下面板１４は締結棒１３と締結用めねじ部材１５によって引寄せられているから、すべり止め１６の圧縮後の厚さに等しい隙間が定規本体３と板材２の上面との間にできる。この隙間は少なくとも結合部５付近に生ずる。定規本体３は結合部５から長く延在するので、定規本体３の先端側は板材２の一辺２ａの対辺に接する。
【００５４】
そこで、定規本体３と横定規４間に張る角の変更は、割出し固定用めねじ部材７を弛めて、割出し部材１２を割出し穴３−ｉから抜いて、定規本体３を枢軸６を中心に回動して新たな角度に設定できる。
【００５５】
実施例によれば、割出し穴３−ｉに割出し部材１２が嵌入するので、定規本体３と横定規４間に張る角は正確で繰り返し復元性がある。
【００５６】
定規１の板材２からの取り外しは２つの締結用めねじ部材１５，１５を弛めるだけで簡単である。そして、定規１の板材２への取り付けも横定規４の板材２への押し付けと締結用めねじ部材１５，１５の締め付けだけであり、操作性がよい。
【００５７】
電動鋸１１のベース１１ａを定規本体３に押し付けても、横定規３が板材２に固定されているから、定規１を手で板材２の上面及び端面に向って押える必要がなく、作業性がよい。
【００５８】
この実施例によれば、操作簡単で、作業性よく板材を定められた角度に切断できる。
【符号の説明】
【００５９】
１…定規
２…板材  ２ａ…一辺  
３…縦定規（定規本体）  ３ａ…側面  ３ｂ…下面  ３ｃ…上面  ３ｄ，３ｅ，３ｆ…段部  ３ｇ…結合板部  ３ｈ…定規部    ３−１−０，３−２−０…基準目盛  ３−ｉ…割出し穴      
４…横定規  ４Ａ…上面板  ４ａ…のぞき窓  ４ａ１…一辺  ４ｂ…結合板部  ４ｂ１…穴  ４ｃ，４ｄ…側面  ４ｅ…上面  ４ｆ…定規部  ４ｇ，４ｈ…段部  ４ｉ…上板当ガイド  ４ｉ１…接触面  ４ｊ…端面  ４ｋ…円板部  ４ｍ…角度目盛  ４ｎ…めねじ  ４ｑ…穴  ４ｒ…ゲンノー打処  
５…結合部  
６…枢軸  ６ａ…円筒部
７…割出し固定用めねじ部材
８…滑動材
９…押板
１０…座板
１１…電動鋸  １１ａ…ベース  
１２…割出し部材  １２ａ…嵌合部  １２ｂ…おねじ  １２ｃ…頭部  １２ｄ…枢軸  １２ｅ…つまみ
１３…締結棒
１４…下面板  １４ａ…下板当ガイド  １４ａ１…面  １４ｂ…板部
１５…締結用めねじ部材
１６…すべり止め
１７…すべり止め
１８…ばね座金
【図１】
0003151510.tif 000003
【図２】
0003151510.tif 000004
【図３】
0003151510.tif 000005
【図４】
0003151510.tif 000006
【図５】
0003151510.tif 000007
【図６】
0003151510.tif 000008
【図７】
0003151510.tif 000009
【図８】
0003151510.tif 000010